(57)【要約】【課題】装置を小型化でき、手軽に使用することができる美容装置および美容方法を提供する。【解決手段】美容装置１は、供給源としての装置本体２と、エアガン３と、パイプ４とを備え、前記装置本体２から所定の圧縮ガスをエアガン３に供給し得るように構成されている。供給された圧縮ガスは、エアガン３から皮膚表面へ供給される。皮膚表面には、予め、金およびプラチナの少なくとも一方の微粒子を含む微粒子含有剤が塗布されており、エアガン３から供給された圧縮ガスにより当該微粒子を前記皮膚内へ注入し得るように構成されている。【選択図】図１
2011019823.tif 000002
【特許請求の範囲】
【請求項１】
被使用者の皮膚表面に、金およびプラチナの少なくとも一方の微粒子を分散剤に分散させた微粒子含有剤を塗布する塗布ステップと、
前記皮膚表面に圧縮ガスを放出して前記微粒子を前記皮膚内に注入する注入ステップと
を含むことを特徴とする美容方法（医療行為を除く）。
【請求項２】
前記微粒子は、粒径が０．１μｍ〜２．０μｍであることを特徴とする請求項１記載の美容方法。
【請求項３】
前記微粒子含有剤に、アスタキサンチン、コエンザイムＱ１０、甘草エキス、イソフラボン、およびこれらの誘導体のいずれか１種以上を０．１質量％〜１０質量％添加したことを特徴とする請求項１又は２記載の美容方法。
【請求項４】
圧縮ガスを供給する供給源と、
前記圧縮ガスを搬送する搬送路と
を備え、
金およびプラチナの少なくとも一方の微粒子を分散剤に分散させた微粒子含有剤を被使用者の皮膚表面に予め塗布し、前記搬送路から放出された前記圧縮ガスにより、前記微粒子を前記皮膚内に注入する
ことを特徴とする美容装置。
【請求項５】
前記微粒子は、粒径が０．１μｍ〜２．０μｍであることを特徴とする請求項４記載の美容装置。
【請求項６】
前記搬送路は、被使用者の皮膚表面に前記圧縮ガスを放出する放出部を有し、
前記放出部には、被使用者の前記皮膚表面を覆うカバー部を設けたことを特徴とする請求項４又は５記載の美容装置。
【請求項７】
前記放出部は、圧縮ガスの進行方向に平行な貫通穴を有することを特徴とする請求項６記載の美容装置。
【請求項８】
前記微粒子含有剤に、アスタキサンチン、コエンザイムＱ１０、甘草エキス、イソフラボン、およびこれらの誘導体のいずれか１種以上を０．１質量％〜１０質量％添加したことを特徴とする請求項４〜７のいずれか１項に記載の美容装置。
【発明の詳細な説明】
【技術分野】
【０００１】
本発明は、美容装置および美容方法に関し、特に金およびプラチナの少なくとも一方の微粒子を皮膚に注入することにより皮膚の細胞を活性化させるものに関するものである。
【背景技術】
【０００２】
従来、特許文献１に記載されているように、金は皮膚の美容に対して効果的であることが知られている。この他にも、非特許文献１に記載されているように、実際に、皮膚内に、金の細線を埋め込み、皮膚の不活性を解消する美容技術があった。
【０００３】
非特許文献１によると、真皮に金の細線を通すと、金が細胞に働きかけて、皮膚が自ら若返りだすとされている。さらに、細胞が活性化し、皮膚のターンオーバーが亢進し、肌の血行改善、皮膚の弾力の高まり、シミやシワの消失などのメリットも得られるとされている。
【０００４】
ところが、皮膚に金の細線を埋め込む際には、熟練した技術が必要である。熟練した技術がないと、金の細線を通す際に用いる針によって生じる針穴に発赤が見られるなど、皮膚にダメージを与えることになる。同様に、熟練した技術がないと、皮膚内部では、内出血が生じたり、腫れが生じたりする場合もある。
【０００５】
このような問題点に対応して、圧縮ガスを搬送する搬送路と、搬送炉内に設けられ金微粒子を保持する保持手段と、搬送路に圧縮ガスを断続的に供給するように制御する制御手段と、保持手段に接続され前記金微粒子を含む圧縮ガスを皮膚に向けて送出する送出手段とを備えた美容装置が開示されている（例えば、特許文献２）。
【０００６】
このような構成により、特許文献１に係る発明は、熟練した技術がなくとも皮膚に金微粒子を注入することができ、金の細線を皮膚内に埋め込むのと同様のメリットが得られる、という効果を奏する。
【先行技術文献】
【特許文献】
【０００７】
【特許文献１】特開２００６−３３５７３３号公報
【特許文献２】特開２００８−２３７６２６号公報
【非特許文献】
【０００８】
【非特許文献１】http://goldfilament.net/gekisha.html
【発明の概要】
【発明が解決しようとする課題】
【０００９】
しかしながら、上記特許文献２では、搬送路に保持手段を設ける必要があるので、装置が大型化してしまい、手軽に使用することができない、という問題があった。
【００１０】
そこで、本発明は上記した問題点に鑑み、装置を小型化でき、手軽に使用することができる美容装置および美容方法を提供することを目的とする。
【課題を解決するための手段】
【００１１】
本発明の請求項１に係る発明は、被使用者の皮膚表面に、金およびプラチナの少なくとも一方の微粒子を分散剤に分散させた微粒子含有剤を塗布する塗布ステップと、前記皮膚表面に圧縮ガスを放出して前記微粒子を前記皮膚内に注入する注入ステップとを含むことを特徴とする。
【００１２】
本発明の請求項２に係る発明は、前記微粒子は、粒径が０．１μｍ〜２．０μｍであることを特徴とする。
【００１３】
本発明の請求項３に係る発明は、前記微粒子含有剤に、アスタキサンチン、コエンザイムＱ１０、甘草エキス、イソフラボン、およびこれらの誘導体のいずれか１種以上を０．１質量％〜１０質量％添加したことを特徴とする。
【００１４】
本発明の請求項４に係る発明は、圧縮ガスを供給する供給源と、前記圧縮ガスを搬送する搬送路とを備え、金およびプラチナの少なくとも一方の微粒子を分散剤に分散させた微粒子含有剤を被使用者の皮膚表面に予め塗布し、前記搬送路から放出された前記圧縮ガスにより、前記微粒子を前記皮膚内に注入することを特徴とする。
【００１５】
本発明の請求項５に係る発明は、前記微粒子は、粒径が０．１μｍ〜２．０μｍであることを特徴とする。
【００１６】
本発明の請求項６に係る発明は、前記搬送路は、被使用者の皮膚表面に前記圧縮ガスを放出する放出部を有し、前記放出部には、被使用者の前記皮膚表面を覆うカバー部を設けたことを特徴とする。
【００１７】
本発明の請求項７に係る発明は、前記放出部が、圧縮ガスの進行方向に平行な貫通穴を有することを特徴とする。
【００１８】
本発明の請求項８に係る発明は、前記微粒子含有剤に、アスタキサンチン、コエンザイムＱ１０、甘草エキス、イソフラボン、およびこれらの誘導体のいずれか１種以上を０．１質量％〜１０質量％添加したことを特徴とする。
【発明の効果】
【００１９】
本発明によれば、予め被使用者の皮膚に金およびプラチナの少なくとも一方の微粒子含有剤を塗布することとしたことにより、従来のように搬送路に微粒子を保持する保持部を設ける必要がないため、その分だけ構成を従来に比べ簡素化することができるので、美容装置を小型化でき、手軽に使用することができる。
【図面の簡単な説明】
【００２０】
【図１】本発明に係る美容装置の全体構成を示す斜視図である。
【図２】本発明に係るガス供給システムの構成を示す回路図である。
【図３】本発明に係る美容装置の操作部の構成を示す正面図である。
【図４】本発明に係る美容装置のエアガンの構成を示す正面図である。
【図５】本発明に係るエアガンのノズルの構成を示す断面図である。
【図６】皮膚の構成を模式的に示す断面図である。
【図７】本発明に係る美容装置のエアガンの使用状態を示す正面図である。
【発明を実施するための形態】
【００２１】
以下、図面を参照して本発明の実施形態について詳細に説明する。
【００２２】
（１）全体構成
図1に示す美容装置１は、装置本体２と、搬送路とを備える。搬送路は、放出部としてのエアガン３と、当該エアガン３に連通されたパイプ４とを有する。この美容装置１は、前記装置本体２からパイプ４を通じて所定の圧縮ガスをエアガン３へ供給し得るように構成されている。供給された圧縮ガスは、エアガン３から皮膚表面へ供給される。皮膚表面には、予め、金およびプラチナの少なくとも一方の微粒子を含む微粒子含有剤が塗布されており、エアガン３から供給された圧縮ガスにより前記微粒子を前記皮膚内へ注入し得るように構成されている。
【００２３】
装置本体２は、筐体５と、当該筐体５の上面に設けられた操作部６と、エアガン３と連通されたパイプ４の一端4aを連結する連結部７とが設けられており、圧縮ガスを生成し前記連結部７に供給するガス供給システム８が内蔵されている。筐体５は、ＦＲＰ（繊維強化プラスチック）で成形されている。また、筐体５の下面には、キャスター９が複数設けられており、床Ｇ上を移動可能に構成されている。また、筐体には、側面に凹状に形成された小物入れ用の収納部12が設けられている。
【００２４】
パイプ４は、一端4aが、鉛直方向の軸を中心として回動自在に連結部７に連通されている。このパイプ４は、一端10aから斜め上方に延びるアーム部10と、当該アーム部10の他端10bに連通された伸縮自在のコード部11とを備える。当該コード部11の先端11aには、エアガン３が連通されている。このようにして、パイプ４は、一端4aからコード部11の先端11aを通じてエアガン３に圧縮ガスを供給し得るように構成されている。
【００２５】
（Ａ）ガス供給システム
次に、図2を参照して装置本体２に内蔵されるガス供給システム８について説明する。当該ガス供給システム８は、圧縮ガスを連結部７へ供給する供給系15と、供給系15に溜まった圧縮ガスを外部へ排出する排出系16と、外部電源31と電気的に接続される配電部17と、制御回路18と、動作状態を表示する表示部19とを備える。
【００２６】
供給系15は、供給源としてのコンプレッサー21と、圧力センサ22と、第１の電磁弁23と、フローセンサ24とを備え、供給配管25で連通されている。コンプレッサー21は、配電部17を通じて電力が供給される。コンプレッサー21で生成された圧縮ガスはタンク26に貯留される。タンク26は、供給配管25の一端25aに連通されている。第１の電磁弁23は、供給配管25を開閉自在とし得るように設けられている。なお、供給配管25には、外径が１／４インチ〜１／２インチ程度のステンレスパイプが好適に用いられる。
【００２７】
圧力センサ22は、第１の電磁弁23の一次側に配置され、供給配管25に接続されたタンク26内の圧力を検出し得るように構成されている。本実施形態の場合、圧力センサ22は、タンク26内の圧力変化を電気信号に置換した圧力信号を制御回路18に出力し得るように構成されている。
【００２８】
また、フローセンサ24は、第１の電磁弁23の二次側に配置され、供給配管25に流れる圧縮ガスの流量を検出し得るように構成されている。本実施形態の場合、フローセンサ24は、流量の変化を電気信号に置換した流量信号を制御回路18に出力し得るように構成されている。供給配管25は、他端25bにおいて連結部７に接続されている。
【００２９】
また、排出系16は、第１の電磁弁23の一次側において供給配管25から分岐した排出配管27を有し、第２の電磁弁28と、オリフィス29とが設けられている。第２の電磁弁28は、排出配管27を開閉自在とし得るように設けられている。オリフィス29は、前記第２の電磁弁28の二次側に設けられ、外部に開放されている。
【００３０】
配電部17は、外部電源31例えば、商用電源に接続されていると共に、電源スイッチ32を有し、コンプレッサー21に電力を供給し得るように構成されている。
【００３１】
配電部17、圧力センサ22、第１の電磁弁23、フローセンサ24、第２の電磁弁28は、それぞれ制御回路18に電気的に接続されている。制御回路18は、予め記憶されたプログラムにしたがい、全体を統括的に制御し得るように構成されている。
【００３２】
本実施形態の場合、制御回路18は、第１の電磁弁23を開閉動作させる第１動作信号と、第２の電磁弁28を開閉動作させる第２動作信号とを生成し、所定のタイミングで第１の電磁弁23および第２の電磁弁28をそれぞれ開閉動作させ得るように構成されている。このようにして、制御回路18は、供給配管25に接続されたタンク26内の圧力と、供給される圧縮ガスの流量とを測定することにより、所定圧力および所定流量の圧縮ガスのみを連結部７に供給し得るように構成されている。また、制御回路18は、待機状態を示す待機信号と、操作可能状態を示す操作可能信号とを生成し、表示部19へ出力する。
【００３３】
表示部19は、図3に示すように、時刻表示部35と、動作状態表示部36とを有し、操作部６に一体的に設けられている。時刻表示部35は、現在時刻と、エアガン３から圧縮ガスを放出している累積時間とを表示し得るように構成されている。
【００３４】
動作状態表示部36は、「待機表示」と、「操作可能表示」とを表示しうるように構成されている。本実施形態の場合、動作状態表示部36は、制御回路18から出力された待機信号に基づき「待機表示」として「WAITING」ランプ37を点灯させる。また、動作状態表示部36は、制御回路18から出力された操作可能信号に基づき「操作可能表示」として「OPERATING」ランプ38を点灯させ得るように構成されている。
【００３５】
操作部６は、前記電源スイッチ32が配置されると共に、排出スイッチ40と、リセットスイッチ41と、タイマー設定部42とを有する。電源スイッチ32は、オンした場合、制御回路18を通じてコンプレッサー21が起動される。一方、電源スイッチ32は、オン状態で長押しされることにより、オフ状態となるように構成されている。
【００３６】
排出スイッチ40をオンすると、制御回路18は、第１の動作信号を第１の電磁弁23へ出力すると共に、第２動作信号を第２の電磁弁28へ出力する。第１の電磁弁23は第２の動作信号に基づき開成して供給配管を開放する。同時に、第２の電磁弁28は第２動作信号に基づき開成して排出配管27を開放する。これにより、ガス供給システム８は、供給系15内に滞留した圧縮ガスを、排出配管27を通じてオリフィス29から外部へ排出する。なお、制御回路18は、上記した電源スイッチ32がオン状態で長押しされた場合、排出動作が行われたことを条件として、電源スイッチをオフ状態とし得るように構成されている。
【００３７】
リセットスイッチ41は、押された場合に、累積時間の表示を初期値、すなわち０に戻す。タイマー設定部42は、美容装置１による施術終了時間を予め設定し得るように構成されている。
【００３８】
（Ｂ）エアガン
次に、図4および図5を参照してエアガン３の構成について説明する。図4に示すように、エアガン３は、ガン本体45と、圧縮ガスの放出および停止を切り替える切替ボタン46と、ノズル47と、前記パイプ４が連通される連通部48とを備える。
【００３９】
ガン本体45は、使用者がペンのように把持し得るように形成されている。本実施形態の場合、ガン本体45は、基端から先端に向かって延びる杆状部49と、当該杆状部49の下部に膨出形成された板状の把持部50と、エアガン３を図示しないフックに吊下げ可能とするリング部51とを有する。把持部50は、球面状の凹部52が表面に設けられていると共に、後方50aが湾曲してなる。凹部52には、滑り止めのための小突起52aが複数形成されている。
【００４０】
杆状部49の上面には、前記切替ボタン46が突出している。切替ボタン46は、押し込むことにより、連通部48とノズル47とを繋ぐ管路（図示しない）を開閉する弁体（図示しない）を開放し得るように構成されている。
【００４１】
ノズル47には、カバー部53が脱着可能に設けられている。カバー部53は、合成樹脂、例えばゴム製の板部材をドーム形状に成形したカバー本体54からなる。カバー本体54は、略円形の開口55と、略中央に設けられた取付穴56とを有する。カバー部53は、カバー本体54の取付穴56をノズル47に挿入することにより、エアガン３に装着される。
【００４２】
ノズル47は、供給された圧縮ガスを集中的に放出し得るように構成されている。本実施形態の場合、図5に示すように、ノズル47は、連通部48に連通した貫通穴57が設けられている。当該貫通穴57は、圧縮ガスの進行方向に平行に形成されている。当該貫通穴57は、直径が例えば０．２ｍｍ〜１．０ｍｍとすることができる。
【００４３】
（Ｃ）微粒子含有剤
次に、微粒子含有剤について説明する。微粒子含有剤は、金およびプラチナの少なくとも一方の微粒子と、当該微粒子を分散させる分散剤とで構成される。微粒子含有剤は、１０ｃｃの分散剤に０．０２〜０．２ｇの微粒子を含有するのが好ましい。
【００４４】
因みに、皮膚60は、図6に示すように、表皮61、真皮62、皮下組織63の３層に大別することができる。また、表皮61の内部は、角質層64、顆粒層65、有棘層66、基底層67の４層で構成されている。角質層64は、基底層67で生成され、有棘層66、顆粒層65へと移動し、新しい細胞が古い細胞を押し上げるように表面に表れることで形成される。したがって、表皮61に微粒子を注入して細胞を活性化させることは、皮膚60のカサつきやシミを抑制する上で有効であると考えられる。
【００４５】
このため、本実施形態では、粒径が０．１μｍ〜２．０μｍの微粒子を用いている。粒径が０．１μｍ未満であると、微粒子は、真皮62へと浸透可能となるので、表皮61に留めておくことが困難となる。一方、粒径が２．０μｍ超であると、微粒子は、皮膚60表面から表皮61内へ入り込むことができない。
【００４６】
分散剤は、種々選択することができるが、例えば、純水、化粧水、水道水、生理食塩水、コラーゲン、乳液などを用いることができる。また、分散剤は液体状に限らず、ジェル状、クリーム状でもよい。
【００４７】
また、微粒子含有剤には、アスタキサンチン、コエンザイムＱ１０、甘草エキス、イソフラボン、およびこれらの誘導体のいずれか１種以上を０．１質量％〜１０質量％添加することが好ましい。アスタキサンチンは、微粒子と共存した場合、美白（抗酸化）効果が得られるほか、しわ、しみ、たるを改善する効果を得ることができる。また、コエンザイムＱ１０は、微粒子と共存した場合、しわ、たるみを改善する効果を得ることができる。甘草エキスは、微粒子と共存した場合、美肌効果を得ることができる。イソフラボンは、微粒子と共存した場合、美白（抗酸化）効果を得ることができる。
【００４８】
（２）作用および効果
次に上記のように構成された美容装置１を用いた美容方法の手順および効果について説明する。まず、美容装置１の電源スイッチ32をオンする。そうすると、外部電源31から配電部17を通じてコンプレッサー21に電力が供給され、当該コンプレッサー21が起動する。コンプレッサー21によって昇圧された圧縮ガスは、タンク26に貯留される。
【００４９】
同時に、外部電源31から配電部17を通じて制御回路18に電力が供給される。制御回路18は、圧力センサ22から出力された圧力信号に基づいてコンプレッサー21のタンク26内の圧力を算出し、当該タンク26内圧力と予め定められた上限圧力と比較し、タンク26内の圧力が前記上限圧力以上になるまで、第１の電磁弁23を閉成した状態に保持する。このとき、制御回路18は、待機信号を動作状態表示部36へ出力し、「WAITING」ランプ37を点灯させる。本実施形態では、上限圧力を１５ｋｇ／ｃｍ２としている。
【００５０】
制御回路18は、タンク26内の圧力が上限圧力以上になったと判定すると、開成信号を第１の電磁弁23へ出力し、第１の電磁弁23を開成する。そうすると、コンプレッサー21で昇圧された圧縮ガスは、タンク26から供給配管25を通り、連結部７からパイプ４へ供給される。圧縮ガスは、パイプ４内を通り、エアガン３に到達する。同時に、制御回路18は、操作可能信号を動作状態表示部36へ出力し、「WAITING」ランプ37を消灯させて「OPERATING」ランプ38を点灯させる。
【００５１】
使用者は、微粒子を注入する被使用者の皮膚60表面に、予め微粒子含有剤を塗布しておく。次いで、使用者は、動作状態表示部36の「OPERATING」ランプ38が点灯したことを確認したら、ペンを把持するように親指F1の腹と、中指F3の腹とにより、把持部50を掴みエアガン３を把持する（図7）。
【００５２】
次いで、使用者は、微粒子含有剤を塗布した被使用者の皮膚60表面に、エアガン３のノズル47を近づける。なお、ノズル47と皮膚60表面との距離は、限定されるものではないが、例えば、１〜７ｃｍ程度とするのが好ましい。また、カバー部53の開口55を被使用者の皮膚60表面に当接させることとしてもよい。
【００５３】
次いで、切替ボタン46を人差し指F2の腹で押し下げる。そうすると、エアガン３のノズル47から圧縮ガスが放出される。放出された圧縮ガスは、皮膚60表面に塗布された微粒子含有剤に当接する。これにより、微粒子は、当該圧縮ガスに押され、皮膚60内に押し込まれる。
【００５４】
なお、圧縮ガスは、断続的にエアガン３から放出する方が、皮膚60への負担を減らす上で好ましい。本実施形態の場合、制御回路18は、第１の電磁弁23を所定のタイミングで開閉させることにより、０．５秒〜５秒間隔で圧縮ガスを放出することが好ましい。また、圧縮ガスは、微粒子含有剤を皮膚表面に塗布した後、１秒〜２０秒以内に放出されるのが好ましい。
【００５５】
ここで、本発明に係る美容方法では、予め被使用者の皮膚60に微粒子含有剤を塗布することとした。これにより、本発明に係る美容方法では、従来のように搬送路に微粒子を保持する保持部を設ける必要がないため、その分だけ構成を従来に比べ簡素化することができるので、美容装置１を小型化でき、手軽に使用することができる。
【００５６】
また、微粒子は、粒径が０．１μｍ〜２．０μｍであるので、より確実に皮膚60に注入されると共に、皮膚60内に注入された後、表皮61に留まる。したがって、本発明に係る美容方法では、微粒子をより確実に表皮61に注入することができるので、より美容効果を得ることができる。
【００５７】
また、微粒子含有剤に、アスタキサンチン、コエンザイムＱ１０、甘草エキス、イソフラボン、およびこれらの誘導体のいずれか１種以上を０．１質量％〜１０質量％添加することにより、微粒子と共に皮膚内へ上記添加物を注入することができるので、より美容効果を得ることができる。
【００５８】
また、エアガン３のノズル47には、カバー部53を設けることとした。これにより、ノズル47から放出された圧縮ガスが飛散するのを防いで、効率よく微粒子を皮膚60内に注入することができる。
【００５９】
また、エアガン３のノズル47は、圧縮ガスの進行方向に平行に形成された貫通穴57で構成されている。これにより、エアガン３は、供給された圧縮ガスを集中的に放出することにより、皮膚60に予め塗布された微粒子含有剤に含まれる微粒子を、より確実に皮膚60内に注入することができる。
【００６０】
さらに、制御回路18は、圧力センサ22でエアガン３から放出される圧縮ガスの圧力を測定する。当該圧縮ガスが下限圧力未満となった場合には、制御回路18は、直ちに閉成信号を第１の電磁弁23へ出力して第１の電磁弁23を閉成する。同時に制御回路18は、待機信号を動作状態表示部36へ出力して、タンク26内の圧力が上限圧力以上になるまで、「OPERATING」ランプ38を消灯させて「WAITING」ランプ37を点灯させる。本実施形態の場合、下限圧力は、２ｋｇ／ｃｍ２としている。
【００６１】
また、制御回路18は、フローセンサ24で圧縮ガスの流量を測定する。これにより、ノズルの目詰まりなどにより、所望の圧縮ガスが放出することができない状態であることを検出し得る。この場合、制御回路18は、異常信号を動作状態表示部36へ出力して、異常状態を示す「異常表示」を表示させる。
【００６２】
このように構成したことにより、美容装置１は、圧縮ガスが下限圧力未満または所定流量未満であることに使用者が気付かずに施術を続けてしまうことを防止できるので、より確実に施術することができる。
【００６３】
また、美容装置１は、エアガン３から放出される圧縮ガスを、所定のタイミングで種々の圧力に変化させて放出することとしてもよい。これにより、本発明に係る美容方法では、注入された微粒子の皮膚60内の深さ方向の位置を種々選択的に変化させることで、均一にかつ満遍なく皮膚60内に微粒子を注入することができる。
【００６４】
（３）変形例
本発明は上記実施形態に限定されるものではなく、本発明の趣旨の範囲内で適宜変更することができる。例えば、上記実施形態の場合、カバー部53は、合成樹脂としてゴム製の板状部材により成形した場合について説明したが、本発明はこれに限らず、プラスチック製、シリコン製などの板状部材により成形してもよい。
【００６５】
また、上記実施形態の場合、圧縮ガスはコンプレッサー21により生成する場合について説明したが、本発明はこれに限らず、不活性ガス、例えば窒素ガスを貯蔵したボンベを用いてもよい。
【符号の説明】
【００６６】
１    美容装置
２    装置本体
３    エアガン（搬送路）
４    パイプ（搬送路）
21    コンプレッサー（供給源）
53    カバー部
57    貫通穴
60    皮膚
【図１】
2011019823.tif 000003
【図２】
2011019823.tif 000004
【図３】
2011019823.tif 000005
【図４】
2011019823.tif 000006
【図５】
2011019823.tif 000007
【図６】
2011019823.tif 000008
【図７】
2011019823.tif 000009